(57)【特許請求の範囲】
【請求項１】
デジタル放送受信信号のトランスポートストリームを記録する録画部と、
前記録画部において記録されたトランスポートストリームを再生する再生部とを備えた録画再生装置において、
前記録画部は、前記トランスポートストリームに含まれるデータ放送ストリームを記録するか否か判定する記録制御部と、前記データ放送ストリームの記録を制御する記録切替部とを備え、
前記トランスポートストリームはＥＰＧ情報を有し、
前記記録制御部は、前記ＥＰＧ情報を参照し、前記ＥＰＧ情報中に番組連動データ放送であることを示す情報が存在するか否かを判定するＥＰＧ情報判定部を備え、
前記記録切替部は、前記ＥＰＧ情報判定部の判定結果に基づき前記データ放送ストリームの記録を制御することを特徴とする録画再生装置。
【請求項２】
前記再生部は、前記記録部に記録されたトランスポートストリームにデータ放送ストリームが含まれるか否かを判定する再生制御部と、前記再生制御部の判定結果に基づき、前記トランスポートストリームにデータ放送ストリームが含まれる場合には、当該データ放送ストリームを用いてデータ放送を再生し、前記トランスポートストリームにデータ放送ストリームが含まれない場合には、現在放送中のデジタル放送受信信号に含まれるデータ放送ストリームを用いてデータ放送を再生する切替制御を行う再生切替部とを備えたことを特徴とする請求項１記載の録画再生装置。
【請求項３】
前記トランスポートストリームはＥＰＧ情報を有し、
前記再生制御部は、前記ＥＰＧ情報を参照し、前記ＥＰＧ情報中に番組連動データ放送であることを示すコードが存在するか否かを判定するＥＰＧ情報判定部を備え、
前記再生切替部は、前記ＥＰＧ情報判定部の判定結果に基づき前記データ放送ストリームの再生切替を制御することを特徴とする請求項２記載の録画再生装置。
【請求項４】
前記トランスポートストリームはＰＳＩ／ＳＩ情報を有し、
前記再生制御部は、前記ＰＳＩ／ＳＩ情報中に含まれるフラグを参照し、前記フラグが番組連動データ放送であることを示しているか否かを判定するＰＳＩ／ＳＩ情報判定部を備え、
前記再生切替部は、前記ＰＳＩ／ＳＩ情報判定部の判定結果に基づき前記データ放送ストリームの再生切替を制御することを特徴とする請求項２記載の録画再生装置。
【請求項５】
前記トランスポートストリームはＰＳＩ／ＳＩ情報を有し、
前記再生制御部は、前記ＰＳＩ／ＳＩ情報中に含まれるデータ符号化方式記述子のフラグを参照し、前記フラグがデータ放送を自動で開始することを示しているか否かを判定する自動開始判定部を備え、
前記再生切替部は、前記自動開始判定部の判定結果に基づき前記データ放送ストリームの再生切替を制御することを特徴とする請求項２記載の録画再生装置。
【請求項６】
前記トランスポートストリームはＰＳＩ／ＳＩ情報を有し、
前記再生制御部は、前記ＰＳＩ／ＳＩ情報中に含まれるデータ符号化方式記述子のフラグを参照し、前記フラグがデータ放送の自動開始を示しているか否かを判定すると共に、前記データ放送ストリームの記述を参照し、前記データ放送が外部入力指示により開始するか否かを判定するブラウザ判定部を備え、
前記再生切替部は、前記ブラウザ判定部の判定結果に基づき前記データ放送ストリームの再生切替を制御することを特徴とする請求項２記載の録画再生装置。
【発明の詳細な説明】
【技術分野】
【０００１】
この発明は、デジタル放送を受信してＨＤＴＶ（Ｈｉｇｈ Ｄｅｆｉｎｉｔｉｏｎ ＴｅｌｅＶｉｓｉｏｎ、高精細テレビ）映像を録画または再生する録画再生装置に関するものである。
【背景技術】
【０００２】
現在、ＨＤＴＶ品質のデジタル放送の普及に伴って放送番組の記録に対する要求が高まり、ＨＤＴＶ品質のまま放送番組を記録することができる録画再生装置が発表されている。これらの録画再生装置の記録媒体として、現在の主流はハードディスクドライブ（以下、ＨＤＤと称する）である。ＨＤＤの大容量化に伴い長時間録画が可能となってきているが、デジタル放送で配信される情報は膨大であり、これらの情報量を削減して記録時間を拡大する必要がある。
【０００３】
この対策として、映像符号化で使用される情報を削減するためにデジタル放送で使用されているＭＰＥＧ２方式から、より圧縮効率の高いＨ．２６４／ＡＶＣ方式に変換する方法が知られている。また、特許文献１では、放送波に含まれるデータ放送は再生時には不要であるとして、記録を行わない方法が開示されている。さらに特許文献２では、繰り返し配信される同一のデータ放送のうち一つのデータ放送のみを記録する方法が開示されている。
【０００４】
【特許文献１】特開２００７−２８１５３７号公報
【特許文献２】特開２００６−０６０５８７号公報
【発明の開示】
【発明が解決しようとする課題】
【０００５】
しかしながら、特許文献１に開示された録画再生装置は、データ放送を記録しないため、放送番組と密接に連動した番組連動データ放送を視聴することができず、ユーザにとって有益である番組の一部を視聴することができないという課題があった。また、特許文献２に開示された録画再生装置は、繰り返し配信されるデータ放送のうち一つだけを記録するため、番組連動データ放送以外の一般データ放送をも記録することとなり、記録時間を圧迫するという課題があった。
【０００６】
また、圧縮効率を高めるなどしてデータ放送を含めた全ての放送波を記録し、再生時に当該データ放送を使用する場合には、ユーザが現在放送されている番組と記録された番組とを区別することが困難になるという課題があった。このような視聴状況では、過去のイベント情報が出力されると混乱を招く可能性がある。特に過去の降雨情報や、災害情報がデータ放送として含まれている場合には、緊急情報としてデジタル受信機がユーザに提示する可能性があり混乱を招く。また、一般データ放送として多くの放送局が提供する天気予報、株価情報なども同様に混乱を招く可能性がある。
【０００７】
この発明は上記のような課題を解決するためになされたもので、ユーザにとって有益なデータ放送を的確に提供すると共に、記録時間の拡大を実現する録画再生装置を提供する。
【課題を解決するための手段】
【０００８】
この発明に係る映像配信システムは、デジタル放送受信信号のトランスポートストリームを記録する録画部と、前記録画部において記録されたトランスポートストリームを再生する再生部とを備えた録画再生装置において、前記録画部は、前記トランスポートストリームに含まれるデータ放送ストリームを記録するか否か判定する記録制御部と、前記記録制御部の判定結果に基づき前記データ放送ストリームの記録を制御する記録切替部とを備えるものである。
【発明の効果】
【０００９】
この発明によれば、トランスポートストリームに含まれるデータ放送ストリームを記録するか否か判定する記録制御部と、記録制御部の判定結果に基づきデータ放送ストリームの記録を制御する記録切替部を備えるように構成したので、エンドユーザの再生視聴に最適なデータ放送のみを記録して記録時間を拡大させると共に、データ放送を含むデジタル放送コンテンツを効果的に視聴することができる。
【発明を実施するための最良の形態】
【００１０】
実施の形態１．
図１は、この発明の実施の形態１に係る録画再生装置の構成を示すブロック図である。
この実施の形態１に係る録画再生装置１は、デジタル放送波を受信するアンテナ２、デジタル放送波を復調してトランスポートストリーム（ＭＰＥＧ２−ＴＳ、以下ＴＳと称する）を生成するチューナ３、ＴＳからビデオ信号や音声信号、ＢＭＬ信号などを多重分離する第１多重分離部４、受信した放送データを蓄積する録画部５、録画部５において蓄積された放送データを再生する再生部１０、及び放送データを表示する表示部１１で構成されている。
この実施の形態１では、録画部５の構成について詳細な説明を行う。録画部５は、データの記録制御を行う記録制御部６、記録制御部６からの指示に基づき出力する信号を切り替えるスイッチ（記録切替部）７、第１多重分離部４及びスイッチ７から入力された信号を多重する多重化部８、及び多重化部８において多重化処理が行われた多重化信号を記録するＨＤＤなどの記録媒媒体である記録部９で構成されている。
【００１１】
次に、録画再生装置１の録画動作について説明する。まず、アンテナ２を介して入力されるデジタル放送波１００はチューナ３において復調され、ＴＳ信号１０１が生成される。このＴＳ信号１０１には、ビデオ信号１０２、音声信号１０３、ＢＭＬ信号（Ｂｒｏａｄｃａｓｔ Ｍａｒｋｕｐ Ｌａｎｇｕａｇｅ信号：テータ放送信号，データ放送ストリーム）１０４、及び制御情報などを含むその他のデータ信号である制御信号１０５が含まれており、第１多重分離部４において当該各信号に分離される。分離されたビデオ信号１０２、音声信号１０３及び制御信号１０５は多重化部８に出力され、ＢＭＬ信号１０４はスイッチ７に出力される。また、第１多重分離部４は、ＴＳ信号１０１から、データ放送を構成するＢＭＬ信号１０４を記録するか否かの制御情報を有する記録制御信号１０６を抽出し、記録制御部６に出力する。
【００１２】
記録制御部６は、第１多重分離部４から入力された記録制御信号１０６に基づきスイッチ７を制御する。データ放送を構成するＢＭＬ信号１０４の記録が必要である場合には、スイッチ７を接続し、第１多重分離部４から出力されるＢＭＬ信号１０４を多重化部８に出力する。一方、ＢＭＬ信号１０４の記録が必要でない場合には、スイッチ７の接続を解除してＢＭＬ信号１０４を多重化部８に出力しない。多重化部８は、第１多重分離部４から入力されるビデオ信号１０２、音声信号１０３、制御信号１０５、及びスイッチ７を介して入力されるＢＭＬ信号１０４´を多重化処理し、再多重ＴＳ信号１０７として記録部９に出力する。記録部９は、この再多重ＴＳ信号１０７を記録する。
【００１３】
図２は、この発明の実施の形態１に係る録画再生装置のＴＳ信号の構成を示す図である。図２（ａ）は第１多重分離部に入力されるＴＳ信号の構成を示し、図２（ｂ）は多重化部から出力される再多重ＴＳ信号の構成を示している。図２（ａ）に示すように、第１多重分離部４に入力されるＴＳ信号１０１は、全ての時間帯において連続したビデオ信号１０２、音声信号１０３、制御信号１０５及びＢＭＬ信号１０４で構成されている。
【００１４】
一方、図２（ｂ）に示すように、多重化部８から出力される再多重ＴＳ信号１０７は、全ての時間帯において連続したビデオ信号１０２、音声信号１０３及び制御信号１０５、ある時間帯の信号が削除されたＢＭＬ信号１０４´で構成されている。これは、スイッチ７において、記録制御部６の制御内容に基づき記録の必要がないと判断される時間帯のＢＭＬ信号１０４が多重化部８に出力されずに、削除されているためである。図２（ｂ）に示す、記録の必要が無い時間帯のＢＭＬ信号１０４を削除したＢＭＬ信号１０４´を含む再多重ＴＳ信号１０７が記録部９に記録される。これにより、記録容量を抑制することができる。
【００１５】
以上のように、この実施の形態１では、記録を必要としない時間帯のＢＭＬ信号を削除する指示を出力する記録制御部と、記録制御部の制御指示に基づきＢＭＬ信号の記録制御を行うスイッチを設け、ビデオ信号、オーディオ信号、制御信号及び記録を必要とするＢＭＬ信号で構成されるＴＳ信号を記録部に記録するように構成したので、データ量を抑制した記録が可能となり記録容量を確保することができる。さらに、再生時に提示を必要としないデータ放送を表示させることのない番組録画を行うことができる。
【００１６】
なお、上述した実施の形態１では、多重分離部においてＴＳ信号をビデオ信号や音声信号などに分離し、必要な信号のみを多重化部において再多重する構成を示したが、不要な信号の削除方法はこれに限定されるものではなく、例えば、ＴＳ信号から不要なＢＭＬ信号のみを削除するように構成してもよい。
【００１７】
実施の形態２．
以下、実施の形態２から実施の形態５において録画部５の記録制御部６の詳細について説明する。
図３は、この発明の実施の形態２に係る録画再生装置の構成を示すブロック図である。この録画再生装置１は、図１に示した録画部５の記録制御部６にＥＰＧ情報判定部６１を追加して構成している。以下では、実施の形態１に係る録画再生装置１の構成要素と同一または相当する部分には、実施の形態１で使用した符号と同一の符号を付して説明を省略または簡略化する。
【００１８】
記録制御部６に設けられたＥＰＧ情報判定部６１は、録画予定の番組が番組連動データ放送であるか否かを判定する。ＥＰＧ情報判定部６１には、第１多重分離部４においてＴＳ信号１０１から抽出されたＥＰＧ（Ｅｌｅｃｔｒｉｃ Ｐｒｏｇｒａｍ Ｇｕｉｄｅ：電子番組表）データ１０６ａが入力される。このＥＰＧ情報１０６ａは、表示部１１の画面上に番組表を表示するためのデータであり、放送局が番組情報として送出しているもので番組の内容を的確に示すものである。
【００１９】
ＥＰＧ情報１０６ａが入力されるＥＰＧ情報判定部６１は、録画予定の番組のＥＰＧ情報中に、番組連動データ放送であるかを示すコード（区点コード：９０５６）が含まれているか否かを判定する。当該コードが含まれていると判定された場合には、スイッチ７に対してＢＭＬ信号１０４を記録する制御指示を出力する。一方、当該コードが含まれていないと判定された場合には、スイッチ７に対してＢＭＬ信号１０４を記録しない制御指示を出力する。
【００２０】
スイッチ７は、ＥＰＧ情報判定部６１から入力される制御指示に基づき、番組連動データ放送である場合にはスイッチ７を接続し、第１多重分離部４から出力されるＢＭＬ信号１０４を多重化部８に出力する。一方、番組連動データ放送でない場合にはスイッチ７の接続を解除してＢＭＬ信号１０４を多重化部８に出力しない。その後の多重化部８及び記録部９における処理は実施の形態１と同様である。なお、上述したコードは、ＡＲＩＢ（Ａｓｓｏｃｉａｔｉｏｎ ｏｆ Ｒａｄｉｏ Ｉｎｄｕｓｔｒｉｅｓ ａｎｄ Ｂｕｓｉｎｅｓｓｅｓ） ＳＴＤ−Ｂ２４（第一分冊）の、第一編第２部の表７−１０追記記号として規定されている。
【００２１】
以上のように、この実施の形態２では、ＴＳ信号から抽出されるＥＰＧ情報に番組連動データ放送であるかを示すコードが含まれているか否かを判定するＥＰＧ情報判定部を設けるように構成したので、不要なデータを削除し、番組連動データのように再生時に有用なＢＭＬ信号のみを記録することが可能となり、記録容量を確保することができる。
【００２２】
実施の形態３．
図４は、この発明の実施の形態３に係る録画再生装置の構成を示すブロック図である。この録画再生装置１は、図１に示した録画部５の記録制御部６にＰＳＩ／ＳＩ情報判定部６２を追加して構成している。以下では、実施の形態１に係る録画再生装置１の構成要素と同一または相当する部分には、実施の形態１で使用した符号と同一の符号を付して説明を省略または簡略化する。
【００２３】
記録制御部６に設けられたＰＳＩ／ＳＩ情報判定部６２は、録画予定の番組が連動データ放送であるか否かを判定する。ＰＳＩ／ＳＩ情報判定部６２には、第１多重分離部４においてＴＳ信号１０１から抽出されたＰＳＩ／ＳＩ情報１０６ｂが入力される。ＰＳＩ／ＳＩ情報１０６ｂは、ＰＳＩ（番組特定情報）及びＳＩ（番組配列情報）で構成され、番組に関する様々なデータが含まれている。
【００２４】
ＰＳＩ／ＳＩ情報判定部６２は、入力されたＰＳＩ／ＳＩ情報１０６ｂに基づき、録画予定の番組のストリーム中に含まれるデータコンテンツ記述子の、番組連動データ放送が行われているかを示す「ａｓｓｏｃｉａｔｅｄ＿ｃｏｎｔｅｎｔｓ＿ｆｌａｇ」が「１」であるか「０」であるかを判定する。当該フラグが「１」であり、番組連動データ放送が行われていると判定された場合には、スイッチ７に対してＢＭＬ信号１０４を記録する制御指示を出力する。一方、当該フラグが「０」であり、番組連動データ放送が行われていないと判定された場合には、スイッチ７に対してＢＭＬ信号１０４を記録しない制御指示を出力する。
【００２５】
スイッチ７は、ＰＳＩ／ＳＩ情報判定部６２から入力される制御指示に基づき、番組連動データ放送である場合にはスイッチ７を接続し、第１多重分離部４から出力されるＢＭＬ信号１０４を多重化部８に出力する。一方、番組連動データ放送でない場合にはスイッチ７の接続を解除してＢＭＬ信号１０４を多重化部８に出力しない。その後の多重化部８及び記録部９における処理は実施の形態１と同様である。なお、上述したフラグは、ＡＲＩＢ  ＴＲ−Ｂ１４  第三編  表２−４データコンテンツ記述子の運用として規定されている。また、このフラグは放送局が番組の付加情報として送出しているものであり、番組の内容を的確に示すものである。
【００２６】
以上のように、この実施の形態３では、ＴＳ信号から抽出されるＰＳＩ／ＳＩ情報中の番組連動データ放送であるか否かを示すフラグの内容を判定するＰＳＩ／ＳＩ情報判定部を設けるように構成したので、不要なデータを削除し、番組連動データのように再生時に有用なＢＭＬ信号のみを記録することが可能となり、記録容量を確保することができる。
【００２７】
実施の形態４．
図５は、この発明の実施の形態４に係る録画再生装置の構成を示すブロック図である。この録画再生装置１は、図１に示した録画部５の記録制御部６に自動開始判定部６３を追加して構成している。以下では、実施の形態１に係る録画再生装置１の構成要素と同一または相当する部分には、実施の形態１で使用した符号と同一の符号を付して説明を省略または簡略化する。
【００２８】
記録制御部６に設けられた自動開始判定部６３は、録画予定の番組がデータ放送を自動で開始するか否かを判定する。自動開始判定部６３には、上述した実施の形態３と同様に、第１多重分離部４からＰＳＩ／ＳＩ情報１０６ｂが入力される。自動開始判定部６３は、入力されたＰＳＩ／ＳＩ情報１０６ｂに基づき、録画予定の番組のストリーム中に含まれるデータ符号化方式記述子の、データ放送を自動で開始するかを示す「ａｕｔｏ＿ｓｔａｒｔ＿ｆｌａｇ」が「１」であるか「０」であるかを判定する。
【００２９】
当該フラグが「０」であり、データ放送が自動で開始しないと判定された場合には、スイッチ７に対してＢＭＬ信号１０４を記録する制御指示を出力する。一方、当該フラグが「１」であり、データ放送が自動で開始すると判定された場合には、スイッチ７に対してＢＭＬ信号１０４を記録しない制御指示を出力する。これは、データ放送が自動で開始しない場合には、番組本体とデータ放送との連携が行われていない可能性が高いためである。
【００３０】
スイッチ７は、自動開始判定部６３から入力される制御指示に基づき、データ放送が自動で開始されない場合にはスイッチ７を接続し、第１多重分離部４から出力されるＢＭＬ信号１０４を多重化部８に出力する。一方、データ放送が自動で開始される場合にはスイッチ７の接続を解除してＢＭＬ信号１０４を多重化部８に出力しない。その後の多重化部８及び記録部９における処理は実施の形態１と同様である。なお、上述したフラグは、ＡＲＩＢ  ＴＲ−Ｂ１４  第三編  表２−３データ符号化方式記述子の運用として規定されている。また、このフラグは、放送局が番組の付加情報として送出しているものであり、番組の内容を的確に示すものである。
【００３１】
以上のように、この実施の形態４では、ＴＳ信号から抽出されるＰＳＩ／ＳＩ情報中のデータ放送を自動で開始するか否かを示すフラグの内容を判定する自動開始判定部を設けるように構成したので、番組再生時に有用なＢＭＬ信号のみを記録することが可能となり、記録容量を確保することができる。また、番組再生時に番組本体とデータ放送との連携を的確に行うことができる。
【００３２】
実施の形態５．
図６は、この発明の実施の形態５に係る録画再生装置の構成を示すブロック図である。この録画再生装置１は、図１に示した録画部５の記録制御部６に自動開始及びＢＭＬブラウザ判定部（ブラウザ判定部）６４を追加して構成している。以下では、実施の形態１に係る録画再生装置１の構成要素と同一または相当する部分には、実施の形態１で使用した符号と同一の符号を付して説明を省略または簡略化する。
【００３３】
記録制御部６に設けられた自動開始及びＢＭＬブラウザ判定部６４は、録画予定の番組がデータ放送を自動で開始するか否かを判定すると共に、ＢＭＬ信号の記述内容を判定する。自動開始及びＢＭＬブラウザ判定部６４には、第１多重分離部４からＰＳＩ／ＳＩ情報１０６ｂ及びＢＭＬ信号１０６ｃが入力される。自動開始及びＢＭＬブラウザ判定部６４は、入力されたＰＳＩ／ＳＩ情報１０６ｂに基づき、録画予定の番組ストリーム中に含まれるデータ符号化方式記述子の、データ放送を自動で開始するかを示す「ａｕｔｏ＿ｓｔａｒｔ＿ｆｌａｇ」が「１」であるか「０」であるかを判定する。
【００３４】
当該フラグが「１」であり、データ放送が自動で開始すると判定された場合には、対応するＢＭＬ信号１０６ｃの記述からＢＭＬブラウザ（図示せず）がデータ放送起動ボタン（図示せず、例えばリモコンのｄボタン）がユーザによりＯＮされるのを待機する状態となるか否かを判定する。これらの二つの判定動作から、「ａｕｔｏ＿ｓｔａｒｔ＿ｆｌａｇ」が「１」で、且つ、データ放送が自動起動した後にＢＭＬブラウザがデータ放送起動ボタンがＯＮされるのを待機する場合には、スイッチ７に対してＢＭＬ信号１０４を記録しない制御指示を出力する。この構成では「ａｕｔｏ＿ｓｔａｒｔ＿ｆｌａｇ」が「１」であることによりデータ放送が自動起動されるが、その後の処理はユーザによるデータ放送起動指示があるまでデータ放送が開始されないことを意味している。
【００３５】
スイッチ７は、自動開始及びＢＭＬブラウザ判定部６４から入力される制御指示に基づき、データ放送が自動開始され、且つ、データ放送起動ボタンによる入力を待機する場合には、スイッチ７の接続を解除してＢＭＬ信号１０４を多重化部８に出力しない。その後の多重化部８及び記録部９における処理は実施の形態１と同様である。
【００３６】
以上のように、この実施の形態５では、ＴＳ信号から抽出されるＰＳＩ／ＳＩ情報にデータ放送を自動で開始するか否かを示すフラグ内容を判定すると共に、データ放送起動ボタンの入力を待機する状態であるか否かを判定する自動開始及びＭＢＬブラウザ判定部を設けるように構成したので、録画時に有用なＢＭＬ信号のみを記録することが可能となり、記録容量を確保することができる。
【００３７】
実施の形態６．
図７は、この発明の実施の形態６に係る録画再生装置の構成を示すブロック図である。
この実施の形態６からは、再生部１０の構成について詳細な説明を行う。なお、記録部９には、上述した実施の形態１から５の動作により蓄積された放送番組データが蓄積されているものとする。
第２多重分離部１２は、記録部９から入力される蓄積データ１０８をビデオ信号１０９、音声信号１１０、ＢＭＬ信号（データ放送ストリーム）１１１及び再生制御信号１１２に分離する。分離されたビデオ信号１０９及び音声信号１１０は、ＡＶデコーダ１３において復号化処理が行われレンダリング処理部１７に出力される。ＢＭＬ信号１１１は切替部（再生切替部）１４に出力され、再生制御信号１１２は再生制御部１５に出力される。さらに、第１多重分離部４からは現在放送中の放送波から分離されたＢＭＬ信号（データ放送ストリーム）１０４が、切替部１４に出力される。
【００３８】
再生制御部１５は、第２多重分離部１２から入力された再生制御信号１１２に基づき切替部１４を制御する。再生制御信号１１２はＢＭＬ信号１１１と同等の信号であり、この再生制御信号１１２に基づきＢＭＬ信号１１１が存在すると判定された場合には、出力をＢＭＬ信号１１１側に切り替えるように切替部１４を制御する。一方、再生制御信号１１２に基づきＢＭＬ信号１１１が存在しないと判定された場合には、出力をＢＭＬ信号１０４側に切り替えるように切替部１４を制御する。
【００３９】
切替部１４の切替動作に従ってＢＭＬブラウザ１６に入力されたＢＭＬ信号１０４または１１１は、表示可能なデータに変換され、レンダリング処理部１７に出力される。レンダリング処理部１７は、第２多重分離部１２から入力されたビデオ信号１０９及び音声信号１１０と、ＢＭＬブラウザ１６から入力されたＢＭＬ信号１０４あるいは１１１の表示可能データを画像化して表示部１１に出力する。表示部１１は入力されたデータを再生する。
【００４０】
以上のように、この実施の形態６によれば、記録された放送番組データ中にＢＭＬ信号が含まれているか否かを判定する再生制御部と、再生制御部の制御指示に基づき記録された番組データ中にＢＭＬ信号が含まれている場合には記録されたＢＭＬ信号を利用し、記録された番組データ中にＢＭＬ信号が含まれていない場合には現在放送中のＢＭＬ信号を利用するように構成したので、記録部に蓄積された再生時に有用なＢＭＬデータはデータ放送として再生し、有用なＢＭＬデータが含まれていない場合には現在放送されているＢＭＬデータを用いてデータ放送を再生することができ、最適なデータ放送をユーザに提示することが可能となる。
【００４１】
実施の形態７．
図８は、この発明の実施の形態７に係る録画再生装置の構成を示すブロック図である。この実施の形態７に係る録画再生装置１は、図７に示した再生部１０の再生制御部１５にＥＰＧ情報判定部７１を追加して構成している。以下では、実施の形態６に係る録画再生装置１の構成要素と同一または相当する部分には、実施の形態６で使用した符号と同一の符号を付して説明を省略または簡略化する。
【００４２】
再生制御部１５に設けられたＥＰＧ情報判定部７１は、記録部９に記録された番組が番組連動データ放送であるか否かを判定する。ＥＰＧ情報判定部７１には、第２多重分離部１２において記録部９に記録された蓄積データ１０８から抽出されたＥＰＧ情報１１２ａが入力される。このＥＰＧ情報１１２ａは、表示部１１の画面上に番組表を表示するためのデータであり、放送局が番組情報として送出しているもので番組の内容を的確に示すものである。
【００４３】
ＥＰＧ情報１１２ａが入力されるＥＰＧ情報判定部７１は、録画予定の番組のＥＰＧ情報中に、番組連動データ放送であるかを示すコード（区点コード：９０５６）が含まれているか否かを判定する。当該コードが含まれていると判定された場合には、切替部１４に対して記録部９で記録されたたＢＭＬ信号１１１を再生する再生制御指示を出力する。一方、当該コードが含まれていないと判定された場合には、切替部１４に対して現在放送中の放送波から分離されたＢＭＬ信号１０４を再生するように再生制御指示を出力する。
【００４４】
切替部１４は、ＥＰＧ情報判定部７１から入力される再生制御指示に基づき、番組連動データ放送である場合には切替部１４をＢＭＬ信号１１１側に接続し、ＢＭＬ信号１１１をＢＭＬブラウザ１６に出力する。一方、番組連動データ放送でない場合には切替部１４をＢＭＬ信号１０４側に接続し、ＢＭＬ信号１０４をＢＭＬブラウザ１６に出力する。その後のＢＭＬブラウザ１６、レンダリング処理部１７及び表示部１１における処理は実施の形態６と同様である。なお、上述したコードは、ＡＲＩＢ（Ａｓｓｏｃｉａｔｉｏｎ ｏｆ Ｒａｄｉｏ Ｉｎｄｕｓｔｒｉｅｓ ａｎｄ Ｂｕｓｉｎｅｓｓｅｓ） ＳＴＤ−Ｂ２４（第一分冊）の、第一編第２部の表７−１０追記記号として規定されている。
【００４５】
以上のように、この実施の形態７では、記録部に記録された放送番組データから抽出されるＥＰＧ情報に番組連動データ放送であるかを示すコードが含まれているか否かを判定するＥＰＧ情報判定部を設けるように構成したので、再生時に有用なＢＭＬ信号のみを再生することが可能となる。
【００４６】
実施の形態８．
図９は、この発明の実施の形態８に係る録画再生装置の構成を示すブロック図である。この録画再生装置１は、図７に示した再生部１０の再生制御部１５にＰＳＩ／ＳＩ情報判定部７２を追加して構成している。以下では、実施の形態６に係る録画再生装置１の構成要素と同一または相当する部分には、実施の形態６で使用した符号と同一の符号を付して説明を省略または簡略化する。
【００４７】
再生制御部１５に設けられたＰＳＩ／ＳＩ情報判定部７２は、再生予定の番組が連動データ放送であるか否かを判定する。ＰＳＩ／ＳＩ情報判定部７２には、第２多重分離部１２において記録部９に記録された蓄積データ１０８から抽出されたＰＳＩ／ＳＩ情報１１２ｂが入力される。ＰＳＩ／ＳＩ情報１１２ｂは、ＰＳＩ及びＳＩで構成され、番組に関わる様々なデータが含まれている。
【００４８】
ＰＳＩ／ＳＩ情報１１２ｂが入力されたＰＳＩ／ＳＩ情報判定部７２は、再生予定の番組のストリーム中に含まれるデータコンテンツ記述子の、番組連動データ放送が行われているかを示す「ａｓｓｏｃｉａｔｅｄ＿ｃｏｎｔｅｎｔｓ＿ｆｌａｇ」が「１」であるか「０」であるかを判定する。当該フラグが「１」であり、番組連動データ放送が行われていると判定された場合には、切替部１４に対して記録部９に記録されたＢＭＬ信号１１１を再生する再生制御指示を出力する。一方、当該フラグが「０」であり、番組連動データ放送が行われていないと判定された場合には、切替部１４に対して現在放送中の放送波から分離されたＢＭＬ信号１０４を再生するように再生制御指示を出力する。
【００４９】
切替部１４は、ＰＳＩ／ＳＩ情報判定部７２から入力される再生制御指示に基づき、番組連動データ放送である場合には切替部１４をＢＭＬ信号１１１側に接続し、ＢＭＬ信号１１１をＢＭＬブラウザ１６に出力する。一方、番組連動データ放送でない場合には切替部１４をＢＭＬ信号１０４側に接続し、ＢＭＬ信号１０４をＢＭＬブラウザ１６に出力する。その後のＢＭＬブラウザ１６、レンダリング処理部１７及び表示部１１における処理は実施の形態６と同様である。なお、上述したフラグは、ＡＲＩＢ  ＴＲ−Ｂ１４  第三編  表２−４データコンテンツ記述子の運用として規定されている。また、このフラグは、放送局が番組の付加情報として送出しているものであり、番組の内容を的確に示すものである。
【００５０】
以上のように、この実施の形態８では、記録部に記録された放送番組データから抽出されるＰＳＩ／ＳＩ情報に番組連動データ放送であるか否かを示すフラグ内容を判定するＰＳＩ／ＳＩ情報判定部を設けるように構成したので、再生時に有用なＢＭＬ信号のみを再生することが可能となる。
【００５１】
実施の形態９．
図１０は、この発明の実施の形態９に係る録画再生装置の構成を示すブロック図である。この録画再生装置１は、図７に示した再生部１０の再生制御部１５に自動開始判定部７３を追加して構成している。以下では、実施の形態６に係る録画再生装置１の構成要素と同一または相当する部分には、実施の形態６で使用した符号と同一の符号を付して説明を省略または簡略化する。
【００５２】
再生制御部１５に設けられた自動開始判定部７３は、再生予定の番組がデータ放送を自動で開始するか否かを判定する。自動開始判定部７３には、上述した実施の形態８と同様に、第２多重分離部１２からＰＳＩ／ＳＩ情報１１２ｂが入力される。自動開始判定部７３は、入力されたＰＳＩ／ＳＩ情報１１２ｂに基づき、再生予定の番組のストリーム中に含まれるデータ符号化方式記述子の、データ放送を自動で開始するかを示す「ａｕｔｏ＿ｓｔａｒｔ＿ｆｌａｇ」が「１」であるか「０」であるかを判定する。
【００５３】
当該フラグが「０」であり、データ放送が自動で開始しないと判定された場合には、切替部１４に対して記録部９において記録したＢＭＬ信号１１１を再生する再生制御指示を出力する。一方、当該フラグが「１」であり、データ放送が自動開始すると判定された場合には、切替部１４に対して現在放送中の放送波から分離されたＢＭＬ信号１０４を再生するように再生制御指示を出力する。これは、データ放送が自動で開始しない場合には、番組本体とデータ放送との連携が行われていない可能性が高いためである。
【００５４】
切替部１４は、自動開始判定部７３から入力される再生制御指示に基づきデータ放送が自動で開始されない場合には切替部１４をＢＭＬ信号１１１側に接続し、ＢＭＬ信号１１１をＢＭＬブラウザ１６に出力する。一方、データ放送が自動で開始される場合には切替部１４をＢＭＬ信号１０４側に接続し、ＢＭＬ信号１０４をＢＭＬブラウザ１６に出力する。その後のＢＭＬブラウザ１６、レンダリング処理部１７及び表示部１１における処理は実施の形態６と同様である。なお、上述したフラグは、ＡＲＩＢ  ＴＲ−Ｂ１４  第三編  表２−３データ符号化方式記述子の運用として規定されている。また、このフラグは、放送局が番組の付加情報として送出しているものであり、番組の内容を的確に示すものである。
【００５５】
以上のように、この実施の形態９では、記録部に記録された放送番組データから抽出されるＰＳＩ／ＳＩ情報にデータ放送を自動で開始するか否かを示すフラグ内容を判定する自動開始判定部を設けるように構成したので、再生時に有用なＢＭＬ信号のみを再生することが可能となる。
【００５６】
実施の形態１０．
図１１は、この発明の実施の形態１０に係る録画再生装置の構成を示すブロック図である。この録画再生装置１は、図７に示した再生部１０の再生制御部１５に自動開始及びＢＭＬブラウザ判定部７４を追加して構成している。以下では、実施の形態６に係る録画再生装置１の構成要素と同一または相当する部分には、実施の形態６で使用した符号と同一の符号を付して説明を省略または簡略化する。
【００５７】
再生制御部１５に設けられた自動開始及びＢＭＬブラウザ判定部７４は、再生予定の番組がデータ放送を自動で開始するか否かを判定すると共に、ＢＭＬ信号の記述内容を判定する。自動開始及びＢＭＬブラウザ判定部７４には、第２多重分離部１２からＰＳＩ／ＳＩ情報１１２ｂ及びＢＭＬ信号１１２ｃが入力される。ＢＭＬブラウザ判定部７４は、入力されたＰＳＩ／ＳＩ情報１１２ｂに基づき、再生予定の番組ストリーム中に含まれるデータ符号化方式記述子に、データ放送を自動で開始するかを示す「ａｕｔｏ＿ｓｔａｒｔ＿ｆｌａｇ」が「１」であるか「０」であるかを判定する。
【００５８】
当該フラグが「１」であり、データ放送が自動で開始すると判定された場合には、対応するＢＭＬ信号１１２ｃの記述からＢＭＬブラウザ１６がデータ放送起動ボタン（図示せず、例えばリモコンのｄボタン）がユーザによりＯＮされるのを待機する状態となるか否かを判定する。これらの二つの判定動作から、「ａｕｔｏ＿ｓｔａｒｔ＿ｆｌａｇ」が「１」で、且つ、データ放送が自動起動した後にＢＭＬブラウザ１６がデータ放送起動ボタンがＯＮされるのを待機する場合には、切替部１４に対して現在放送中の放送波から分離されたＢＭＬ信号１０４をＢＭＬブラウザ１６に出力するように制御指示を出力する。この構成では「ａｕｔｏ＿ｓｔａｒｔ＿ｆｌａｇ」が「１」であることによりデータ放送が自動起動されるが、その後の処理はユーザによるデータ放送起動指示があるまでデータ放送が開始されないことを意味している。
【００５９】
切替部１４は、自動開始及びＢＭＬブラウザ判定部７４から入力される再生制御指示に基づき、データ放送が自動開始され、且つ、データ放送起動ボタンによる入力を待機する場合には、切替部１４をＢＭＬ信号１０４側に接続詞、ＢＭＬ信号１０４をＢＭＬブラウザ１０６に出力する。その後のＢＭＬブラウザ１６、レンダリング処理部１７及び表示部１１における処理は実施の形態６と同様である。
【００６０】
以上のように、この実施の形態５では、記録部に記録された番組データから抽出されるＰＳＩ／ＳＩ情報にデータ放送を自動で開始するか否かを示すフラグ内容を判定すると共に、データ放送起動ボタンの入力を待機する状態であるか否かを判定する自動開始及びＭＢＬブラウザ判定部を設けるように構成したので、再生時に有用なＢＭＬ信号のみを記録することが可能となる。
【図面の簡単な説明】
【００６１】
【図１】この発明の実施の形態１に係る録画再生装置の構成を示すブロック図である。
【図２】この発明の実施の形態１に係る録画再生装置のＴＳ信号の構成を示す図である。
【図３】この発明の実施の形態２に係る録画再生装置の構成を示すブロック図である。
【図４】この発明の実施の形態３に係る録画再生装置の構成を示すブロック図である。
【図５】この発明の実施の形態４に係る録画再生装置の構成を示すブロック図である。
【図６】この発明の実施の形態５に係る録画再生装置の構成を示すブロック図である。
【図７】この発明の実施の形態６に係る録画再生装置の構成を示すブロック図である。
【図８】この発明の実施の形態７に係る録画再生装置の構成を示すブロック図である。
【図９】この発明の実施の形態８に係る録画再生装置の構成を示すブロック図である。
【図１０】この発明の実施の形態９に係る録画再生装置の構成を示すブロック図である。
【図１１】この発明の実施の形態１０に係る録画再生装置の構成を示すブロック図である。
【符号の説明】
【００６２】
１  録画再生装置、２  アンテナ、３  チューナ、４  第１多重分離部、５  録画部、６  記録制御部、７  スイッチ、８  多重化部、９  記録部、１０  再生部、１１  表示部、１２  第２多重分離部、１３  ＡＶデコーダ、１４  切替部、１５  再生制御部、１６  ＢＭＬブラウザ、１７  レンダリング処理部、６１，７１  ＥＰＧ情報判定部、６２，７２  ＰＳＩ／ＳＩ情報判定部、６３，７３  自動開始判定部、６４，７４  自動開始及びＢＭＬブラウザ判定部、１００  デジタル放送波、１０１  ＴＳ信号、１０２，１０９  ビデオ信号、１０３，１１０  音声信号、１０４，１０４´，１０６ｃ，１１１，１１２ｃ  ＢＭＬ信号、１０５  制御信号、１０６  記録制御信号、１０７  再多重ＴＳ信号、１０８  蓄積データ、１１２  再生制御信号、１０６ａ，１１２ａ  ＥＰＧ情報、１０６ｂ，１１２ｂ  ＰＳＩ／ＳＩ情報。
【図１】
0005111134.tif 000002
【図２】
0005111134.tif 000003
【図３】
0005111134.tif 000004
【図４】
0005111134.tif 000005
【図５】
0005111134.tif 000006
【図６】
0005111134.tif 000007
【図７】
0005111134.tif 000008
【図８】
0005111134.tif 000009
【図９】
0005111134.tif 000010
【図１０】
0005111134.tif 000011
【図１１】
0005111134.tif 000012